(57)【要約】【課題】箱部の開き方向の外力に起因する撓みバネ部のバネ荷重の低下を抑制できる。【解決手段】一枚のプレートより折り曲げによって形成された４つの壁面部３，４，５，６を有する箱部２と、箱部２内に配置された撓みバネ部とを備え、相手端子が撓みバネ部の撓み変形した状態で箱部２内に挿入され、撓みバネ部の撓み復帰力を接触荷重として相手端子に接触する端子１において、折り曲げの一端に位置する壁面部６と、壁面部６に隣り合う他の壁面部５とのいずれか一方には、係止穴１０が設けられ、他方には、一方の壁面部５と面一に折り曲げられて係止穴１０に入り込む係止片１１が設けられ、箱部２の開き方向Ｕ，Ｄの変位を規制する係止穴１０と係止片１１の双方の端面１０ｂ、１１ｂのいずれか一方が線形状の端面１１ｂに、他方が点形状の端面１０ｂにそれぞれ形成されている。【選択図】図１
2020013673.tif 000002
【特許請求の範囲】
【請求項１】
一枚のプレートより折り曲げによって形成された４つの壁面部を有する箱部と、
前記箱部内に配置された撓みバネ部とを備え、
相手端子が前記撓みバネ部の撓み変形した状態で前記箱部内に挿入され、前記撓みバネ部の撓み復帰力を接触荷重として前記相手端子に接触する端子において、
折り曲げの一端に位置する前記壁面部と、前記壁面部に隣り合う他の前記壁面部とのいずれか一方には、係止穴が設けられ、他方には、一方の前記壁面部と面一に折り曲げられて前記係止穴に入り込む係止片が設けられ、
前記箱部の開き方向の変位を規制する前記係止穴と前記係止片の双方の端面のいずれか一方が線形状の端面に、他方が点形状の端面にそれぞれ形成されていることを特徴とする端子。
【請求項２】
請求項１記載の端子であって、
一方の前記端面は、前記箱部が開く方向に対して斜め方向に延びていることを特徴とする端子。
【発明の詳細な説明】
【技術分野】
【０００１】
本発明は、撓みバネ部が箱部内に配置された端子に関する。
【背景技術】
【０００２】
この種の従来の端子として、例えば特許文献１に開示されたものがある。この端子５０は、図７〜図９に示すように、前面が開口された箱部５２を有する。この箱部５２は、底面壁５３と一対の側面壁５４，５５と天井壁５６が一枚のプレートより設けられている。一の側面壁５５には、係止穴５７が形成されている。天井壁５６には、係止片５８が延設されている。天井壁５６より延設された係止片５８が折り曲げられて係止穴５７に入り込でいる。
【０００３】
箱部５２内には、一端が箱部５２に支持された片持ち支持構造の撓みバネ部６０が設けられている。
【０００４】
箱部５２内に挿入された相手端子（図示せず）は、撓みバネ部６０と天井壁５６の間に挟持され、撓みバネ部６０のバネ復帰力を接触荷重として端子間が電気的に接続される。
【０００５】
上記端子によれば、相手端子（図示せず）が箱部５２に挿入された状態にあって、撓みバネ部６０のバネ復帰力によって、箱部５２を開く方向の外力が一の側面壁５５と天井壁５６の間に作用する。この外力を係止穴５７と係止片５８で受けることによって箱部５２が開く方向に変位するのを阻止している。これにより、撓みバネ部６０のバネ復帰力が低下して接触荷重が低下するのを防止している。
【先行技術文献】
【特許文献】
【０００６】
【特許文献１】特開２００４−３１０３４号公報
【発明の概要】
【発明が解決しようとする課題】
【０００７】
しかしながら、従来の端子では、図９に示すように、箱部５２の開き方向の変位を規制する係止穴５７と係止片５８の双方の端面５７ａ，５８ａの間には、大きなクリアランスＣ２が形成される。
【０００８】
具体的には、箱部５２の開き方向Ｕ、Ｄの変位を規制する係止穴５７と係止片５８の双方の端面５７ａ，５８ａは、共に直線形状である。係止穴５７と係止片５８の双方の端面５７ａ，５８ａの間にクリアランスが発生しないような寸法設定にすると、図１０に示すように、天井壁５６より延設された係止片５８を折り曲げて係止穴５７に入り込ませる際に、双方の端面５７ａ，５８ａが直線状にオーバーラップした状態で干渉するため、折り曲げによって係止片５８を係止穴５７に入り込ませることができない。そのため、係止片５８を折り曲げて係止穴５７に入り込む際に干渉しないような寸法関係に設定とする必要がある。しかし、このような寸法関係に設定すると、係止片５８が係止穴５７に入り込んだ状態では、図９に示すように、大きなクリアランスＣ２が発生する。
【０００９】
従って、従来例の端子５０では、クリアランスＣ２の分だけ箱部５２が開く方向Ｕ、Ｄに変位可能であるため、撓みバネ部６０のバネ復帰力が低下して接触荷重が低下するという問題がある。
【００１０】
そこで、本発明は、前記した課題を解決すべくなされたものであり、箱部の開き方向の外力に起因する撓みバネ部のバネ荷重の低下を抑制できる端子を提供することを目的とする。
【課題を解決するための手段】
【００１１】
本発明は、一枚のプレートより折り曲げによって形成された４つの壁面部を有する箱部と、前記箱部内に配置された撓みバネ部とを備え、相手端子が前記撓みバネ部の撓み変形した状態で前記箱部内に挿入され、前記撓みバネ部の撓み復帰力を接触荷重として前記相手端子に接触する端子において、折り曲げの一端に位置する前記壁面部と、前記壁面部に隣り合う他の前記壁面部とのいずれか一方には、係止穴が設けられ、他方には、一方の前記壁面部と面一に折り曲げられて前記係止穴に入り込む係止片が設けられ、前記箱部の開き方向の変位を規制する前記係止穴と前記係止片の双方の端面のいずれか一方が線形状の端面に、他方が点形状の端面にそれぞれ形成されていることを特徴とする端子である。
【発明の効果】
【００１２】
本発明によれば、箱部の組み立てに際して他方の壁面部の係止片を折り曲げて一方の壁面部の係止穴に入り込ませる際に、箱部を開く方向の変位を規制する端面同士が干渉するような小さなクリアランスに寸法関係を設定としても、点形状の端面を構成する部位が変形可能であるため、係止片を係止穴に入り込ませることができ、箱部を開く方向の変位を規制する端面同士のクリアランスを極力小さくできる。従って、前記箱部が開く方向の変位を小さく抑制でき、箱部の開き方向の外力に起因する撓みバネ部のバネ荷重の低下を抑制できる。
【図面の簡単な説明】
【００１３】
【図１】本発明の一実施形態を示し、端子の斜視図である。
【図２】本発明の一実施形態を示し、端子の側面図である。
【図３】本発明の一実施形態を示し、端子の断面図である。
【図４】本発明の一実施形態を示し、端子の要部斜視図である。
【図５】本発明の一実施形態を示し、（ａ）は端子の要部側面図、（ｂ）は（ａ）のＡ部拡大図である。
【図６】本発明の一実施形態を示し、（ａ）は係止片を係止穴に入り込ませる際に、係止片と係止穴の端面が干渉する状態を示す側面図、（ｂ）は（ａ）のＢ１−Ｂ１線断面図である。
【図７】従来例を示し、端子の前面図である。
【図８】従来例を示し、端子の側面図である。
【図９】従来例を示し、端子の側面図である。
【図１０】従来例を示し、（ａ）は係止片を係止穴に入り込ませる際に、係止片と係止穴の端面が干渉する状態を示す断面図、（ｂ）は係止片を係止穴に入り込ませる際に、係止片と係止穴の端面が干渉する状態を示す側面図である。
【発明を実施するための形態】
【００１４】
以下、本発明の実施形態を図面に基づいて説明する。
【００１５】
図１〜図６には、本発明の一実施形態を示す。なお、図面は、底面壁３を上方に、天井壁６を下方として示されている。
【００１６】
端子である雌端子１は、１枚の所定形状の導電性プレート（銅材等）を折り曲げて形成されている。雌端子１は、相手端子である雄端子（図示せず）と電気的に接続する箱部２と、電線（図示せず）を接続する電線接続部２０とを備えている。
【００１７】
箱部２は、前面側と後面側が開口された四角形の細長い箱形状である。箱部２は、４つの壁面部である底面壁３と一対の側面壁４，５と天井壁６から形成されている。底面壁３は、折り曲げによって天井壁６側に突出するタブ受け面部３ａを有する。一方の側面壁４は、底面壁３の一方の側端より折曲部を介して一体に設けられている。他方の側面壁５は、底面壁３の他方の側端より折曲部を介して一体に設けられている。他方の側面壁５には、天井壁６の端面側に開口する係止穴１０が設けられている。
【００１８】
天井壁６は、一方の側面壁４より折曲部を介して一体に設けられている。天井壁６には、係止片１１が突設されている。係止片１１は、根元部で折り曲げられ、他方の側面壁５の係止穴１０に入り込んでいる。これにより、係止片１１は、他方の側面壁５と面一に配置されている。係止穴１０と係止片１１の詳しい構成は、下記する。
【００１９】
撓みバネ部１５は、箱部２内に配置されている。撓みバネ部１５は、天井壁６より延設され、その先端が自由端である。つまり、撓みバネ部１５は、片持ち支持構造である。
【００２０】
相手端子であるオス端子（図示せず）は、扁平で細長いタブ部と、電線を接続する電線接続部とを備えている。
【００２１】
次に、係止穴１０と係止片１１の構成を説明する。図５に示すように、係止穴１０は、突片１０ａが突出された概略四角形の穴形状に形成されている。係止片１１は、突片１１ａが突設された概略四角形の壁形状に形成されている。そして、係止穴１０と係止片１１は、箱部２を開く方向Ｕ、Ｄの変位を規制する端面１０ｂ，１１ｂをそれぞれ有する。
【００２２】
係止穴１０の端面１０ｂは、突片１０ａに形成され、箱部を開く方向Ｄに直交する直線状の面と箱部を開く方向Ｄに沿う直線状の面とが交差する角面、つまり、点形状の面より形成されている。
【００２３】
係止片１１の端面１１ｂは、突片１１ａに形成され、箱部２を開く方向Ｕに対して傾斜する直線状の面より形成されている。係止穴１０側の点形状の端面１０ｂと係止片１１側の直線状の端面１１ｂとの間は、小さなクリアランスＣ１（図５（ｂ）参照）、若しくは、ほとんどクリアランスのない状態に配置されている。このようなクリアランスの状態に配置できる理由は、次の通りである。
【００２４】
つまり、箱部２の組み立てに際して天井壁６の係止片１１を折り曲げて他方の側面部５の係止穴１０に入り込ませる際に、図６に示すように、箱部２を開く方向Ｕ、Ｄの変位を規制する端面１０ｂ，１１ｂ同士が干渉するような寸法関係に設定しても、点形状の端面１０ｂを構成する部位、つまり、突片１０ａの先端部位が変形可能（直線状の先端部位に比較して遥かに変形可能）であるため、係止片１１を係止穴１０に入り込ませることができる。そのため、箱部２を開く方向Ｕ、Ｄの変位を規制する端面１０ｂ，１１ｂ同士のクリアランスＣ１を極力小さくできる。
【００２５】
また、箱部２の組み立てに際して天井壁６の係止片１１を折り曲げて他方の側面壁５の係止穴１０に入り込ませる際に、箱部２を開く方向Ｕ、Ｄの変位を規制する端面１０ｂ，１１ｂ同士が１点でのみ接触するよう折り曲げ、換言すれば１点をターゲットとして折り曲げれば良いため、クリアランスＣ１を極力小さくするような折り曲げが容易に可能であり、箱部２を開く方向Ｕ、Ｄの変位を規制する端面１０ｂ、１１ｂ同士のクリアランスＣ１を極力小さくできる。以上より、雄端子（図示せず）が箱部２に挿入された状態では箱部２を開く方向Ｕ、Ｄの外力が箱部２に作用するが、箱部２が開く方向Ｕ、Ｄの変位を小さく抑制でき、箱部２の開きに起因する撓みバネ部１５のバネ荷重の低下を抑制できる。
【００２６】
以上説明したように、雌端子１は、折り曲げの一端に位置する天井壁（壁面部）６と、天井壁（壁面部）６に隣り合う他方の側面壁（他の壁面部）５とに係止穴１０と係止片１１がそれぞれ設けられ、箱部２の開き方向Ｕ、Ｄの変位を規制する係止穴１０と係止片１１の双方の端面１０ｂ、１１ｂのいずれか一方が線形状の端面１１ｂに、他方が点形状の端面１０ｂにそれぞれ形成されている。従って、上記で説明したような理由によって、箱部２が開く方向Ｕ、Ｄの変位を小さく抑制でき、箱部２の開きに起因する撓みバネ部１５のバネ荷重の低下を抑制できる。
【００２７】
また、箱部２を開く方向Ｕ、Ｄの変位を規制する一方の端面１０ｂが点形状であるため、箱部２を開く方向Ｕ、Ｄの外力が作用すると、一方の点形状の端面１０ｂが他方の直接形状の端面１１ｂに食い込むため、箱部２を開く方向Ｕ、Ｄの変位を確実に規制できる。つまり、双方の端面１０ｂ、１１ｂが共に直接形状であれば、箱部２を開く方向Ｕ、Ｄの外力が作用すると、双方の端面１０ｂ、１１ｂ間で滑りが発生し、箱部２が開く方向の変位が大きくなる可能性が考えられるが、本実施形態ではこのような事態が発生しない。
【００２８】
更に、双方の端面１０ｂ、１１ｂ同士が適正な接触状態になっているかを目視で確認するが容易である。つまり、双方の端面１０ｂ、１１ｂ同士が面接触していることを目視で確認するよりも、双方の端面１０ｂ、１１ｂ同士が１点で接触していることを目視で確認する方が容易だからである。
【００２９】
この実施形態では、係止穴１０の端面１０ｂが点形状に、係止片１１の端面１１ｂが直線状の端面１１ｂに形成されているが、係止穴１０の端面１０ｂが直線状に、係止片１１の端面１１ｂが点形状に形成しても良い。
【符号の説明】
【００３０】
１  雌端子（端子）
２  箱部
３  底面壁（壁面部）
４，５  側面壁（壁面部）
６  天井壁（壁面部）
１０  係止穴
１０ｂ  端面
１１  係止片
１１ｂ  端面
１５  撓みバネ部
【図１】
2020013673.tif 000003
【図２】
2020013673.tif 000004
【図３】
2020013673.tif 000005
【図４】
2020013673.tif 000006
【図５】
2020013673.tif 000007
【図６】
2020013673.tif 000008
【図７】
2020013673.tif 000009
【図８】
2020013673.tif 000010
【図９】
2020013673.tif 000011
【図１０】
2020013673.tif 000012